(57)【要約】【課題】インダクタを３層で構成することができなかった。【解決手段】  （１）（１ａ）協働して第１の層を挟む第２の層及び第３の層のうち、前記第２の層中に形成されている渦巻状の第１の巻線本体と、（１ｂ）当該第１の巻線部の両端部のうち中心側の端部を起点として外側の端部に向けて前記第１の層中に延在する第１の配線とを有する不平衡型の第１の巻線と、  （２）（２ａ）前記第１の巻線本体との間で電磁的結合を行うべく、前記第３の層中に前記第１の巻線本体と対向して形成されている渦巻状の第２の巻線本体と、（２ｂ）当該第２の巻線の両端部のうち中心側の端部を起点として外側の端部に向けて前記第１の層中に延在する第２の配線とを有する不平衡型の第２の巻線と、を含む。【選択図】図１
2009123995.tif 000002
【特許請求の範囲】
【請求項１】
（１）（１ａ）協働して第１の層を挟む第２の層及び第３の層のうち、前記第２の層中に形成されている渦巻状の第１の巻線本体と、（１ｂ）当該第１の巻線部の両端部のうち中心側の端部を起点として外側の端部に向けて前記第１の層中に延在する第１の配線とを有する不平衡型の第１の巻線と、
（２）（２ａ）前記第１の巻線本体との間で電磁的結合を行うべく、前記第３の層中に前記第１の巻線本体と対向して形成されている渦巻状の第２の巻線本体と、（２ｂ）当該第２の巻線の両端部のうち中心側の端部を起点として外側の端部に向けて前記第１の層中に延在する第２の配線とを有する不平衡型の第２の巻線と、を含むことを特徴とするインダクタ。
【発明の詳細な説明】
【技術分野】
【０００１】
本発明は、不平衡型の整合回路等に用いられる、２つの渦巻状の巻線からなるインダクタに関する。
【背景技術】
【０００２】
図２は、従来のインダクタの構造を示す。従来のインダクタＬ１０は、下記の特許文献１〜特許文献３に記載されたトランスの機能を果たすべく、図２（Ｂ）に示されるように、基板ＳＢ上にパシベーション層ＰＶを隔てて、２つの渦巻状の巻線である第１の巻線Ｗ１０及び第２の巻線Ｗ２０から構成されている。
【０００３】
より詳しくは、第１の巻線Ｗ１０は、渦巻状の巻線本体ＷＤ１０と、当該巻線本体ＷＤ１０の中心側の端部ＥＤ１０ａを、外部端子又は外部回路（図示せず。）に接続すべく、当該端部ＥＤ１０ａを起点として外側の端部ＥＤ１０ｂに向けて延在する配線ＬＮ１０とを有する。
【０００４】
同様に、第２の巻線Ｗ２０は、渦巻状の巻線本体ＷＤ２０と、当該巻線本体ＷＤ２０の中心側の端部ＥＤ２０ａを、上記した外部端子又は外部回路に接続すべく、当該端部ＥＤ２０ａを起点として外側の端部ＥＤ２０ｂに向けて延在する配線ＬＮ２０とを有する。
【０００５】
【特許文献１】特開２００２−２３１８１７号公報
【特許文献２】特開２００５−３４０６５８号公報
【特許文献３】特開平６−３４７１４２号公報
【発明の開示】
【発明が解決しようとする課題】
【０００６】
しかしながら、従来のインダクタＬ１０では、第１の巻線Ｗ１０については、前記配線ＬＮ１０が、上記したパシベーション層ＰＶ上の第１の層ＬＹ１０に形成されており、前記巻線本体ＷＤ１０が、前記第１の層ＬＹ１０上の第２の層ＬＹ２０に形成されており、さらに、第２の巻線Ｗ２０については、前記巻線本体ＷＤ２０が、前記第２の層ＬＹ２０上の第３の層ＬＹ３０に形成されており、前記配線ＬＮ２０が、前記第３の層ＬＹ３０上の第４の層ＬＹ４０に形成されている。この結果、当該インダクタＬ１０を形成するためには、４つの層、即ち、第１の層ＬＹ１０〜第４の層ＬＹ４０が必要であり、インダクタＬ１０を４層より少ない層で構成するという「薄化」ができなかった。
【課題を解決するための手段】
【０００７】
本発明は、上記した課題を解決すべく、以下の適用例により実現される。
【０００８】
［適用例１］
適用例１のインダクタは、
（１）（１ａ）協働して第１の層を挟む第２の層及び第３の層のうち、前記第２の層中に形成されている渦巻状の第１の巻線本体と、（１ｂ）当該第１の巻線部の両端部のうち中心側の端部を起点として外側の端部に向けて前記第１の層中に延在する第１の配線とを有する不平衡型の第１の巻線と、
（２）（２ａ）前記第１の巻線本体との間で電磁的結合を行うべく、前記第３の層中に前記第１の巻線本体と対向して形成されている渦巻状の第２の巻線本体と、（２ｂ）当該第２の巻線の両端部のうち中心側の端部を起点として外側の端部に向けて前記第１の層中に延在する第２の配線とを有する不平衡型の第２の巻線と、を含む。
【０００９】
適用例１のインダクタによれば、前記第１の巻線本体が前記第２の層中に形成されており、前記第２の巻線本体が前記第３の層中に形成されており、加えて、前記第１の配線及び前記第２の配線が、前記第２の層及び前記第３の層に挟まれている前記第１の層中に形成されていることから、当該インダクタを、４層で構成されていた従来のインダクタと異なり、３層で構成することが可能となる。
【発明を実施するための最良の形態】
【００１０】
実施例のインダクタについて図面を参照して説明する。
【００１１】
図１は、実施例のインダクタの構成を示す。実施例のインダクタＬ１は、入力される信号及び出力される信号の両方が不平衡型であるトランスとして機能すべく（例えば、高インピーダンス系で入力される不平衡型の信号を、低インピーダンス系の不平衡型の信号に変換して出力し、又は、反対に、低インピーダンス系で入力される信号を、高インピーダンス系の不平衡型の信号に変換して出力すべく）、図１（Ｂ）に示されるように、第１の巻線Ｗ１及び第２の巻線Ｗ２を含む。第１の巻線Ｗ１及び第２の巻線Ｗ２は、基板ＳＢ上にパシベーション層ＰＶを隔てて形成されている第１の層ＬＹ１、第２の層ＬＹ２、及び第３の層ＬＹ３に亘って設けられている。
【００１２】
第１の巻線Ｗ１は、図１（Ｂ）に示されるように、第１の巻線本体ＷＤ１及び第１の配線ＬＮ１を有し、同様に、第２の巻線Ｗ２は、第２の巻線本体ＷＤ２及び第２の配線ＬＮ２を有する。
【００１３】
第１の巻線本体ＷＤ１及び第２の巻線本体ＷＤ２は、図１（Ａ）、（Ｂ）に示されるように、それぞれ、渦巻状（とぐろ上）であり、かつ、図１（Ｂ）に示されるように、第１の巻線本体ＷＤ１と第２の巻線本体ＷＤ２とは、相互間で電磁的結合を行うべく、平行な状態で対向している。
【００１４】
図１（Ｂ）に示されるように、第１の配線ＬＮ１は、第１の巻線本体ＷＤ１の中心側の端部ＥＤ１ａを起点として外側の端部ＥＤ１ｂに向けて第２の層ＬＹ２中に延在している。同様にして、第２の配線ＬＮ２は、第２の巻線本体ＷＤ２の中心側の端部ＥＤ２ａを起点として外側の端部ＥＤ２ｂに向けて、前記第１の配線ＬＮ１が延在している前記第２の層ＬＹ２中に延在している。
【００１５】
上述したように、実施例のインダクタＬ１では、第１の巻線Ｗ１については、第１の巻線本体ＷＤ１が第１の層ＬＹ１中に形成されており、第１の配線ＬＮ１が第２の層ＬＹ２中に形成されており、また、第２の巻線Ｗ２については、第２の巻線本体ＷＤ２が第３の層ＬＹ３中に形成されており、第２の配線ＬＮ２が、前記第１の配線ＬＮ１が形成されている層と同一である第２の層ＬＹ２中に形成されていることから、４層で構成されていた従来のインダクタＬ１０（図２に図示。）と異なり、３層で構成するという「薄化」が可能となる。
【図面の簡単な説明】
【００１６】
【図１】実施例のインダクタの構造を示す図。
【図２】従来のインダクタの構造を示す図。
【符号の説明】
【００１７】
Ｌ１…インダクタ、Ｗ１…第１の巻線、Ｗ２…第２の巻線、ＷＤ１…第１の巻線本体、ＷＤ２…第２の巻線本体、ＬＮ１…第１の配線、ＬＮ２…第２の配線、ＥＤ１ａ、ＥＤ１ｂ…第１の巻線本体の端部、ＥＤ２ａ、ＥＤ２ｂ…第２の巻線本体の端部。
【図１】
2009123995.tif 000003
【図２】
2009123995.tif 000004